(57)【要約】【課題】簡単な構成によって持ち運びや収納も便利で、しかも被包装物を傷つけることなくきれいで簡単に包装袋内に収容して包装することができる野菜類などの被包装物の包装装置を提供する。【解決手段】全体として扇形状になっている野菜類などの被包装物Ａを、一端Ｂ１が開口された包装袋Ｂ内に当該開口を通じて収容することによって包装する包装装置１であって、被包装物Ａを載置する装置本体２は、所定量の被包装物Ａを載置するとともに、包装袋Ｂに形成された一端Ｂ１開口を通じて包装袋Ｂが先端側から基端にかけて挿入可能に形成され、被包装物Ａと接する装置本体２の表面は被包装物に摩擦抵抗がかからない形状となされ、さらに、装置本体２の先端には当該装置本体２に載置した被包装物Ａの基端部を把持するための逃げ部２３が形成されている。【選択図】  図５
2008074421.tif 000002
【特許請求の範囲】
【請求項１】
全体として扇形状になっている野菜類などの被包装物を、一端が開口された包装袋内に当該開口を通じて収容することによって包装する包装装置であって、
前記被包装物を載置する装置本体は、所定量の被包装物を載置するとともに、包装袋に形成された一端開口を通じて当該包装袋が先端側から基端にかけて挿入可能に形成され、被包装物と接する装置本体の表面は被包装物に摩擦抵抗がかからない形状となされ、さらに、装置本体の先端には当該装置本体に載置した被包装物の基端部を把持するための逃げ部が形成されたことを特徴とする野菜類などの被包装物の包装装置。
【請求項２】
前記装置本体には、この装置本体に載置した被包装物を保持する保持部材が設けられたことを特徴とする請求項１記載の野菜類などの被包装物の包装装置。
【請求項３】
前記装置本体が支持体を介して重量計測装置に連設されたことを特徴とする請求項１又は２記載の野菜類などの被包装物の包装装置。
【請求項４】
前記支持体と重量計測装置とが着脱自在に構成されたことを特徴とする請求項３記載の野菜類などの被包装物の包装装置。
【発明の詳細な説明】
【技術分野】
【０００１】
本発明は、全体として扇形状になっている野菜類などの被包装物を包装袋に包装する包装装置に関するものである。
【背景技術】
【０００２】
従来、複数の包装用袋を傾斜面を有する包装部の係止部に係止してセットし、包装部の上端に設けたブロワーの吹出口からの気流を整流板によって前方流と後方流とに分け、ブロワーからの後方流により包装部にセットした包装用袋の開口のきっかけを作ると同時に前方流により包装用袋の開口を大きく開口させ、これによりこの包装用袋に野菜等を挿入した後当該包装用袋を切離すことによって野菜等を包装する包装装置が提供されている（例えば、特許文献１参照。）。
【特許文献１】特開平６−１９１５０８号公報
【発明の開示】
【発明が解決しようとする課題】
【０００３】
しかしながら、上記従来のものでは、ブロワーや整流板を設けることによって装置全体が複雑で大型になるため、持ち運びや収納が大変であった。また、包装用袋を気流によって開口させることができるものの、野菜等の収容はその袋内に強制的に挿入する手法であるために野菜等の損傷や包装用袋自体の破袋を招くという問題があった。
【０００４】
また、作業者の手によって被包装物を包装袋に包装することも行われるが、包装袋としては所謂ＯＰ袋製のものが一般に用いられており、この袋は滑りにくくて被包装物を入れにくく、特に乾いた野菜などは滑らずに入れにくい。また、このため被包装物の基端部（根の部分）が袋の底部で揃いにくく、袋の底部で無理に揃えようとすると袋が破れてしまうという問題があった。
【０００５】
本発明は、上記問題点に鑑みてなされたもので、その目的とするところは、簡単な構成によって持ち運びや収納も便利で、しかも被包装物を傷つけることなくきれいで簡単に包装袋内に収容して包装することができる野菜類などの被包装物の包装装置を提供することにある。
【課題を解決するための手段】
【０００６】
上記の目的を達成するため、請求項１に係る発明の野菜類などの被包装物の包装装置は、全体として扇形状になっている野菜類などの被包装物を、一端が開口された包装袋内に当該開口を通じて収容することによって包装する包装装置であって、前記被包装物を載置する装置本体は、所定量の被包装物を載置するとともに、包装袋に形成された一端開口を通じて当該包装袋が先端側から基端にかけて挿入可能に形成され、被包装物と接する装置本体の表面は摩擦抵抗のかからない形状となされ、さらに、装置本体の先端には当該装置本体に載置した被包装物の基端部を把持するための逃げ部が形成されたものである。
【０００７】
請求項２に係る発明の野菜類などの被包装物の包装装置は、前記装置本体には、この装置本体に載置した被包装物を保持する保持部材が設けられたものである。
【０００８】
請求項３に係る発明の野菜類などの被包装物の包装装置は、前記装置本体が支持体を介して重量計測装置に連設されたものである。
【０００９】
請求項４に係る発明の野菜類などの被包装物の包装装置は、前記支持体と重量計測装置とが着脱自在に構成されたものである。
【発明の効果】
【００１０】
本発明によれば、包装袋を装置本体の外周全体に挿入すると、包装袋の底部と被包装物の基端部とを揃えながらこれら包装袋の底部と被包装物基端部を一緒に摘んで先端側に引き抜くことで、被包装物を包装袋内に収容した状態で装置本体から引き抜き、これによって被包装物を簡単に包装することができる。この場合、受け皿の表面が凹凸状に形成されて摩擦抵抗を小さくしているため、被包装物は受け皿上をスムーズに滑りながら当該受け皿に引っかかることなく取り出され、これにより被包装物を傷めずにきれいに包装袋内に収容することができる。
【発明を実施するための最良の形態】
【００１１】
以下、本発明の実施の形態について図面を参照して説明する。
【００１２】
図１及び図２は、本発明の野菜類などの被包装物の包装装置を示している。
【００１３】
包装装置１は、被包装物Ａ（図５及び図６参照）載置する装置本体２と、この装置本体２を支持する支持体３と、支持体３に連設された重量計測装置４を備えている。
【００１４】
装置本体２は、所定量の被包装物Ａを載置するように底面２１ａと左右両側から立上げられた立上げ面２１ｂとからなる受け皿２１と、この受け皿２１の周囲に配置された枠体２２とからなり、後述する被包装物Ａの形状に応じて基端側から先端側にかけて漸次小幅に形成された扇状に形成され、且つその被包装物Ａに応じた所定の長さを有している。
【００１５】
また、立上げ面２１ｂも被包装物Ａの形状に応じてその高さが基端部から先端にかけて漸次低くなるように形成している。
【００１６】
受け皿２１は、被包装物Ａと接する表面、つまり、底面２１ａ及び立上げ面２１ｂの内側面にはその一面に渡って細かな凹凸が形成されており、この凹凸によって被包装物Ａとの接触面積を小さくして両者に作用する摩擦抵抗を小さくするようにしている。
【００１７】
また、この受け皿２１の先端には、受け皿２１に載置した被包装物Ａの基端部を把持するための逃げ部２３が形成されている。具体的には、底面２１ａの先端部を立上げ面２１ｂの先端部に対して所定長さ切欠いている。
【００１８】
受け皿２１は、材質として例えば内面側にしぼ加工を施して凹凸状にした合成樹脂製や、また内面側にエンボス加工を施して凹凸状にした鋼板製などが利用され、被包装物Ａを滑らせて移動させる際にこの被包装物Ａに摩擦抵抗がかからないようになしている。従って、受け皿２１を線材で形成してもよい。
【００１９】
前記枠体２２は、断面形状が円形の棒状体を左右の立上げ面２１ｂの周縁に沿ってそれぞれ配置するとともに、これら左右が同じく円形の棒状体である連結材２２ａによって適宜に複数箇所で連結されている。
【００２０】
この枠体２２は、その左右の各先端２２ｂがＵ字状に湾曲形成されており、この先端２２ｂを通じて包装袋Ｂ（図４参照）をスムーズに出し入れできるようにしている。
【００２１】
このように受け皿２１の周縁を囲むように枠体２２を設けることにより受け皿２１周縁のエッジ部分をカバーすることができ、これにより包装袋Ｂを出し入れする際の引っ掛かり部を無くして当該包装袋Ｂの破袋などの損傷を防止するようにしている。なお、枠体２２は受け皿２１にリベットなどの適宜な固定手段によって一体的に固定されている。
【００２２】
また、受け皿２１の上面途中部には保持部材５が設けられている。この保持部材５は、受け皿２１に載置した被包装物Ａを保持するためのもので、受け皿２１と略同じ幅を有する断面円形の枠状体に形成されており、図３に示すようにその一側縁がヒンジ５１を介して前記枠体２２に上下方向に回動自在に配設されている。
【００２３】
支持体３は、全体としてコ字状に形成されており、その上片３１が受け皿２１の基端部（後端部）において後方に突出する形で枠体２２に溶接等によって固定され、前方に折り返された下片３２が重量計測装置４に連設され、これによって装置本体２をその先端側をやや下方に傾斜させた状態で安定的に支持している。つまり、重量計測装置４も支持体３と同様に装置本体１を支持する役割を担っている。
【００２４】
重量計測装置４は、従来周知なものでその表示部４１に計測した重量が表示される。つまり、予め重量計測装置４上に設けられた装置本体２や支持体３等の重量を差し引いて設定しておけば受け皿２１に載置した被包装物Ａの重量を計測することができる。
【００２５】
ところで、被包装物Ａとしては、ほうれん草やみず菜などの野菜類の他、花などで、束ねたときに全体として扇形状になるものが掲げられ、本発明の包装装置はこれらのものの包装に用いられる。
【００２６】
また、被包装物Ａを最終的に収容する包装袋Ｂは、図４に示すように扇形状の被包装物Ａを収容することができようにこの被包装物Ａの形状に合わせて平面から見て扇状に形成されており、その先端（一端）Ｂ１が開口されている。
【００２７】
次に、このように構成された包装装置１を用いて被包装物Ａを包装袋Ｂに収容する手順について説明する。
【００２８】
まず、保持部材５を開放した状態で、受け皿２１上に所定量の被包装物Ａを載置する。この場合、重量計測装置４には載置した被包装物Ａの重量が表示部４１に表示されることから、この重量に基づいて設定した量の被包装物Ａを載置する。この際被包装物Ａの基端部を受け皿２１の逃げ部２３に突出させながら全体的に揃わせて配置する。
【００２９】
この後、保持部材５を閉じて被包装物Ｂを受け皿２１上で安定的に保持する。そして、この状態で包装袋Ｂをその先端Ｂ１の開口を開いて装置本体２の先端側から基端側に当該装置本体２全体を包み込むように挿入する（図５〜図６参照）。
【００３０】
このようにして包装袋Ｂを装置本体２の外周全体に挿入すると、包装袋Ｂの底部と被包装物Ａの基端部とを揃えながらこれら包装袋Ｂの底部と被包装物Ａ基端部を一緒に摘んで先端側に引き抜くことで、被包装物Ａを包装袋Ｂ内に収容した状態で装置本体２から引き抜き、これによって被包装物Ａを簡単に包装することができる。
【００３１】
この場合、受け皿２１の表面が凹凸状に形成されて摩擦抵抗を小さくしているため、被包装物Ａは受け皿２１上をスムーズに滑りながら当該受け皿２１に引っかかることなく取り出される。これにより被包装物Ａを傷めずにきれいに包装袋Ｂ内に収容することができる。
【００３２】
また、逃げ部２３を利用して包装袋Ｂに被包装物Ａを収容するため、被包装物Ａの基端部（野菜の場合には根の部分）を包装袋Ｂの底部においてきれいに揃えた状態で包装することができる。
【００３３】
さらに、枠体２２によって包装袋Ｂが隅部などに引っかかって破れるのを防止しており、上述の効果と相まって歩留良く包装することができる。
【００３４】
しかも、重量計測装置４によって被包装物の重量を計量しながら包装することができるので、重量ムラなく一定量の被包装物を一連の包装作業の中で効率良く手軽に包装することができる。
【００３５】
また、包装装置１自体の構成が簡単なので持ち運びや収納も便利である。
【００３６】
なお、上述した実施形態は、あくまでも本発明の好適な実施態様を示すものであって、本発明はこれに限定されることなく、その範囲内において種々設計変更可能である。
【００３７】
例えば、本実施の形態では重量計測装置４を支持体３に連設したものについて述べたが、重量計測装置４は必ずしも必要ではない。この場合、支持体３によって装置本体２を安定的に支持するように構成すればよい。
【００３８】
また、支持体３と重量計測装置４とを例えば抜き差しすることによって両者を着脱自在に設けることで、必要に応じて重量計測装置４を利用するようにしてもよい。
【００３９】
このように両者を着脱自在に設ける例としては、図７及び図８に示すように支持体３を立上げ部３３で分離し、この分離した立上げ部３３の端部同士をネジ部材３４で締結することで両者を連結するようにすればよい。また、ネジ部材３４を取り外すことで重量計測装置４を用いないで装置本体２のみで使用することができる。
【図面の簡単な説明】
【００４０】
【図１】本発明の野菜類などの被包装物の包装装置を示す斜視図である。
【図２】同じく本発明の野菜類などの被包装物の包装装置を示す斜視図である。
【図３】保持部材を開放した状態の包装装置を示す斜視図である。
【図４】包装袋を示す斜視図である。
【図５】包装装置を用いて被包装物を包装袋に収容する手順を説明するための図である。
【図６】包装装置を用いて被包装物を包装袋に収容する手順を説明するための図である。
【図７】本発明の野菜類などの被包装物の包装装置において装置本体と重量計測装置とを着脱自在にした一例を示す斜視図である。
【図８】同じくこの包装装置を示す分解斜視図である。
【符号の説明】
【００４１】
１  包装装置
２  装置本体
２１  受け皿
２２  枠体
２３  逃げ部
３  支持体
４  重量計測装置
５  保持部材
Ａ  被包装物
Ｂ  包装袋
Ｂ１  先端（一端）
【図１】
2008074421.tif 000003
【図２】
2008074421.tif 000004
【図３】
2008074421.tif 000005
【図４】
2008074421.tif 000006
【図５】
2008074421.tif 000007
【図６】
2008074421.tif 000008
【図７】
2008074421.tif 000009
【図８】
2008074421.tif 000010